(57)【要約】【課題】スクリーン１１の下端に取付けた状態における昇降コード１３への取付位置の調整を比較的容易に行う。【解決手段】コード係止部材２１は、ヘッドレールに上端が取付けられたスクリーンの下部に係止するフック状の係止部２２と、係止部２２の上端に下端が連続する基台２３と、基台２３の上端に形成されヘッドレールから垂下された昇降コード１３が挿通する挿通部２４と、挿通部２４と係止部２２の間の基台２３に形成された取付部２６とを備える。挿通部２４と取付部２６の間の基台２３に係止片２９が立設され、挿通部２４に挿通された昇降コード１３を圧入することにより昇降コード１３を係止可能に構成された凹溝３１が係止片２９に形成される。取付部２６は基台２３に立設されたリブ状物２６ａとリブ状物２６ａの先端に形成された大径部２６ｂとを有し、圧入されて垂下する昇降コードがリブ状物の側壁に添うように凹溝３１が係止片に形成される。【選択図】図１
2008121359.tif 000002
【特許請求の範囲】
【請求項１】
ヘッドレール(12)に上端が取付けられたスクリーン(11)の下部に係止するフック状の係止部(22)と、前記係止部(22)の上端に下端が連続する基台(23)と、前記基台(23)の上端に形成され前記ヘッドレール(12)から垂下された昇降コード(13)が挿通する挿通部(24)と、前記挿通部(24)と前記係止部(22)の間の前記基台(23)に形成され前記挿通部(24)に挿通された前記昇降コード(13)の下端を取付ける取付部(26)とを備えるコード係止部材において、
前記挿通部(24)と前記取付部(26)の間の前記基台(23)に係止片(29)が立設され、
前記挿通部(24)に挿通された前記昇降コード(13)を圧入することにより前記昇降コード(13)を係止可能に構成された凹溝(31)が前記係止片(29)に形成された
ことを特徴とするローマンシェード用コード係止部材。
【請求項２】
取付部(26)は基台(23)に立設された上下方向に長いリブ状物(26a)と前記リブ状物(26a)の先端に形成された大径部(26b)とを有し、
圧入されて垂下する昇降コード(13)が前記リブ状物(26a)の側壁に添うように凹溝(31)が係止片(29)に形成された請求項１記載のローマンシェード用コード係止部材。
【発明の詳細な説明】
【技術分野】
【０００１】
本発明は、ヘッドレールにスクリーンの上端を取付けたローマンシェードに用いられるコード係止部材に関する。更に詳しくは、ヘッドレールから垂下された昇降コードの下端に取付けられ、その下端をスクリーンの下部に取付けるコード係止部材に関するものである。
【背景技術】
【０００２】
従来、家屋における窓等の開口部に室内側から取付けられるローマンシェードが知られている。このローマンシェードは、ヘッドレールに上端が取付けられたスクリーンを昇降コードにより昇降させるものであって、そのスクリーンが開口部を塞ぎ、必要に応じて昇降コードを上昇させてスクリーンをたくし上げることにより、その開口部から採光できるようになっている。昇降コードはヘッドレールからその長手方向に所定の間隔をあけて複数本垂下され、その下端がスクリーンの下部に係止される。そして、それら複数の昇降コードを同時に上昇させることにより、そのスクリーンの下部を上昇させてスクリーンをたくし上げるようになっており、このような昇降コードは単一のローマンシェードに対して複数設けられることから、それらの下端がスクリーンの下部に高さ方向において不均一に取付けられるとスクリーンの下端が斜めに傾斜する不具合がある。
【０００３】
この点を解消するために、昇降コードの下端に予めコード係止部材を設け、この係止部材をスクリーンの下部に取付けることが行われる（例えば、特許文献１参照。）。即ち、複数の昇降コードの下端に予め同一高さにコード係止部材を取付け、同一高さに位置する複数の係止部材をスクリーンの下部にそれぞれ取付けることにより、スクリーンの下端が斜めになるような事態を防止するようにしている。
【０００４】
ここで、このコード係止部材として、スクリーンの下部に係止するフック状の係止部と、係止部の上端に下端が連続する基台と、基台の上端に形成されて昇降コードが挿通する挿通部と、挿通部と係止部の間の基台に形成されて昇降コードの下端が取付けられる取付部とを備えたものが提案されている。そして、このコード係止部材では、挿通部に昇降コードを挿通させ、その下端を取付部に取付けることにより昇降コードを取付けることが可能になり、このようにして取付けたコード係止部材を係止部を介してスクリーンの下部に係止させることにより、この係止部材を介して昇降コードの下端をそのスクリーンの下部に比較的容易に取付けることができるようになっている。
【特許文献１】特開２００６−７０４４８号公報（明細書［００１４］、図１）
【発明の開示】
【発明が解決しようとする課題】
【０００５】
しかし、上記従来のローマンシェード用コード係止部材では、複数の昇降コードの下端に予め同一高さに取付けるものであるため、それをスクリーンの下端に取付けた状態における微調整が困難になる不具合があった。
即ち、昇降コードが３本以上の複数である場合には、その全体によりスクリーンを均等に支持し得ることが好ましい。しかし、例えばスクリーンの下部にリングを取付け、このリングにコード用係止部材を係止させるような場合には、そのリングをスクリーンに取付ける際にばらつきが生じると、複数の昇降コードの下端に予め同一高さにコード係止部材を取付けたとしても、それらのコード係止部材を取付位置が上下にばらついたリングに係止させることになり、それら係止部材を介して取付けられた複数の昇降コードの下端における取付位置も上下にばらつくことになる。
【０００６】
このように生じたばらつきを解消するためには、弛んだ昇降コードの下端に取付けた係止部材の位置を変更することにより解消させることが考えられる。しかし、一旦昇降コードの下端に取付けた係止部材をその昇降コードから取外してその位置を調整し、再び取付けることの作業は比較的煩雑で、そのスクリーンの下端に取付けたローマンシェード用コード係止部材の位置を変更する微調整が困難になる不具合があった。
本発明の目的は、スクリーンの下端に取付けた状態における昇降コードへの取付位置の調整が比較的容易なローマンシェード用コード係止部材を提供することにある。
【課題を解決するための手段】
【０００７】
請求項１に係る発明は、図１及び図７に示すように、ヘッドレール１２に上端が取付けられたスクリーン１１の下部に係止するフック状の係止部２２と、係止部２２の上端に下端が連続する基台２３と、基台２３の上端に形成されヘッドレール１２から垂下された昇降コード１３が挿通する挿通部２４と、挿通部２４と係止部２２の間の基台２３に形成され挿通部２４に挿通された昇降コード１３の下端を取付ける取付部２６とを備えるコード係止部材の改良である。
その特徴ある構成は、図１に詳しく示すように、挿通部２４と取付部２６の間の基台２３に係止片２９が立設され、挿通部２４に挿通された昇降コード１３を圧入することにより昇降コード１３を係止可能に構成された凹溝３１が係止片２９に形成されたところにある。
【０００８】
この請求項１に記載されたローマンシェード用コード係止部材では、挿通部２４に挿通された昇降コード１３を係止片２９に形成された凹溝３１に圧入することにより、その昇降コード１３を係止部材２１に仮に固定することができる。このため、例えばスクリーン１１の下部にコード用係止部材２１を係止させたときに、複数の昇降コード１３の下端における取付位置が上下にばらついたとしても、凹溝３１に圧入された昇降コード１３を凹溝３１に圧入させた状態で上下方向に移動させることにより、このように生じたばらつきを解消することができる。このため、弛んだ昇降コード１３の下端に取付けた係止部材２１の位置を変更することが比較的容易であり、その位置を上下に移動させることにより昇降コード１３の下端を比較的容易に解消させることができる。そして、そのように位置を調整した後に昇降コード１３の下端を取付部２６に取付けることにより、スクリーン１１の下端に取付けたローマンシェード用コード係止部材２１の位置を微調整した状態で昇降コード１３に取付けることができ、昇降コード１３が３本以上の複数である場合であっても、その全体によりスクリーン１１を均等に支持することが可能となる。
【０００９】
請求項２に係る発明は、請求項１に係る発明であって、取付部２６は基台２３に立設された上下方向に長いリブ状物２６ａとリブ状物２６ａの先端に形成された大径部２６ｂとを有し、圧入されて垂下する昇降コード１３がリブ状物２６ａの側壁に添うように凹溝３１が係止片２９に形成されたことを特徴とする。
この請求項２に記載されたローマンシェード用コード係止部材では、凹溝３１に圧入された後に垂下する昇降コード１３がリブ状物２６ａの側壁に添うので、図１の一点鎖線で示すようにそのリブ状物２６ａの側壁に添う昇降コード１３の下端を摘んで、その下端を実線矢印で示すように引き回すことにより昇降コード１３をリブ状物２６ａの周囲に巻回させてその昇降コード１３を取付部２６に取付けることができる。
また、リブ状物２６ａの側壁に添う昇降コード１３の下端を摘んでリブ状物２６ａに巻回させても、その巻回させる以前に挿通部２４に挿通された昇降コード１３が基台２３と大径部２６ｂとの間の隙間に必要以上に重なった状態で圧入されることはなく、基台２３と大径部２６ｂとの間の隙間に昇降コード１３が必要以上に重なった状態で圧入されることに起因して、大径部２６ｂやリブ状物２６ａが破損するような事態を有効に回避することができる。
【発明の効果】
【００１０】
以上述べたように、本発明によれば、挿通部と取付部の間の基台に係止片を立設し、挿通部に挿通された昇降コードを圧入することにより昇降コードを係止可能に構成された凹溝を係止片に形成したので、挿通部に挿通された昇降コードを係止片に形成された凹溝に圧入することにより、その昇降コードを係止部材に仮に固定することができる。このため、スクリーンの下部にコード用係止部材を係止させたときに、複数の昇降コードの下端における取付位置が上下にばらついたとしても、凹溝に圧入された昇降コードを凹溝に圧入させた状態で上下方向に移動させることにより、上下のばらつきを解消することができる。そして、ばらつきを解消した後に昇降コードの下端を取付部に取付けることにより、スクリーンの下端に取付けたローマンシェード用コード係止部材の位置を微調整した状態で昇降コードに取付けることができ、昇降コードが３本以上の複数である場合であっても、その全体によりスクリーンを均等に支持することが可能となる。
【００１１】
取付部が基台に立設された上下方向に長いリブ状物とリブ状物の先端に形成された大径部とを有するような場合には、圧入されて垂下する昇降コードがリブ状物の側壁に添うように凹溝を係止片に形成すれば、リブ状物の側壁に添う昇降コードの下端を摘んで、その下端を実線矢印で示すように引き回すことにより昇降コードをリブ状物の周囲に巻回させてその取付部に取付けることができる。そして、リブ状物の側壁に添う昇降コードの下端を摘んでリブ状物に巻回させても、その巻回させる以前に挿通部に挿通された昇降コードが基台と大径部との間の隙間に必要以上に重なった状態で圧入されることはなく、基台と大径部との間の隙間に昇降コードが必要以上に重なった状態で圧入されることに起因して、大径部やリブ状物が破損するような事態を有効に回避することができる。
【発明を実施するための最良の形態】
【００１２】
次に本発明を実施するための最良の実施の形態を図面に基づいて説明する。
図７及び図８に示すように、ローマンシェード１０は、図示しない固定用ブラケットを介して部屋の壁面や天井に取付けられたヘッドレール１２と、このヘッドレール１２に上端が取付けられヘッドレール１２の長さと略同一の幅を有するスクリーン１１と、ヘッドレール１２から昇降可能に垂下されてその下端がスクリーン１１の下部に連結された昇降コード１３とを備える。
【００１３】
ヘッドレール１２はアルミニウム合金等の金属の押出し成形又は引抜き成形により作られたレール本体１２ａと、レール本体１２ａの両端部に設けられた蓋体１２ｂを備える。ヘッドレール１２の内部空間には、複数（図７の例では３個）のコード挿通部材１４がヘッドレール１２の長手方向の任意の位置に収容される。また、ヘッドレール１２の内部空間には、コード挿通部材１４の数に相応する本数の昇降コード１３が挿通され、これらの昇降コード１３の一端部は、対応する所定のコード挿通部材１４からスクリーン１１の背面に添って垂下される。スクリーン１１には上下方向に所定の間隔をあけて複数本の横桿１６が取付けられ、ヘッドレール１２から垂下された昇降コード１３が横桿１６と交差するスクリーン１１の背面にはコードリング１７が取付けられる。このため、スクリーン１１の背面にはコードリング１７が鉛直方向に所定の間隔をあけて取付けられる。また、スクリーン１１の下縁にはウエイトバー１８が取付けられる。
【００１４】
ヘッドレール１２の内部空間に挿通された複数の昇降コード１３の他端部は、ヘッドレール１２の内部空間を一方（図では左方向）に導かれて、ヘッドレール１２の端部に設けられた停止手段である図示しないストッパに挿通された後、ヘッドレール１２の端部から垂下されて操作つまみ１９に連結される。図示しないストッパは、操作つまみ１９が設けられた側の昇降コード１３の上昇をそれぞれ禁止又は許容するように構成される。そして、図示しないストッパは、操作つまみ１９が設けられた側の昇降コード１３を下降させた後に上昇させるとその昇降コード１３の上昇を禁止し、上昇が禁止された操作つまみ１９が設けられた側の昇降コード１３を一旦下降させると再びその昇降コード１３の上昇を許容するように構成される。ここで、図における符号１９ａは操作つまみ１９をスクリーン１１の下端に連結する連結紐である。
【００１５】
ヘッドレール１２に内蔵されて対応する所定のコード挿通部材１４から垂下された昇降コード１３の一端側は、スクリーン１１の背面に鉛直方向に所定の間隔をあけて取付けられた複数のコードリング１７に挿通されて鉛直下方に配索された後、スクリーン１１の下端に取付けられた最下端のコードリング１７に、本発明のコード係止部材２１を介して連結される。このように構成されたローマンシェード１０では、操作つまみ１９が設けられた側の昇降コード１３を上昇させると、図７に示すようにヘッドレール１２のコード挿通部材１４から垂下されてスクリーン１１に連結された側の昇降コード１３が下降し、逆に操作つまみ１９が設けられた側の昇降コード１３を下降させると、図８に示すようにスクリーン１１に連結された側の昇降コード１３が上昇してスクリーン１１をたくし上げることができるように構成される。
【００１６】
図６に示すように、昇降コード１３の一端側における下端を最下端のコードリング１７に連結する本発明のコード係止部材２１は、コードリング１７に係止するフック状の係止部２２と、係止部２２の上端に下端が連続する基台２３と、基台２３の上端に形成されて昇降コード１３が挿通する挿通部２４と、挿通部２４と係止部２２の間の基台２３に形成されて昇降コード１３の下端が取付けられる取付部２６とを備える。この係止部材２１は樹脂成型品であって、係止部２２と基台２３と挿通部２４と取付部２６は一体的に形成される。
【００１７】
図２及び図６に示すように、フック状の係止部２２は、コードリング１７をその中に挿入可能なＵ字形に形成され、その開口する上部が狭められて形成される。Ｕ字形に形成された係止部２２の内側にはその中に挿入されたコードリング１７の上方に位置してそのコードリングをその内部に位置させる突起２２ａが一体的に形成される。図１〜図３及び図６に示すように、係止部２２の上端に下端が連続する基台２３の上端には直角に折り曲がる上板２７が形成され、上板２７と基台２３の接合部分である角部に昇降コード１３が挿通する挿通部２４が形成される。この実施の形態における挿通部２４は上板２７と基台２３の接合部分に形成された孔であって、その挿通部２４を構成する孔は昇降コード１３が遊挿可能に比較的大きく形成され、この孔からなる挿通部２４に一端が開口するスリット２７ａが上板２７に形成される。スリット２７ａの幅は昇降コード１３の外径と同一か或いは僅かに小さく形成され、挿通部２４に挿通された昇降コード１３をこのスリット２７ａに圧入可能に構成される。
【００１８】
図１，図２及び図５に示すように、取付部２６は、挿通部２４と係止部２２の間の基台２３に立設された上下方向に長いリブ状物２６ａと、そのリブ状物２６ａの先端に形成された大径部２６ｂとを有する。リブ状物２６ａは、昇降コード１３の下端が巻回される部分であり、その高さは昇降コード１３の外径の２倍程度に形成される。リブ状物２６ａの先端に形成された大径部２６ｂは、リブ状物２６ａの周囲に巻回された昇降コード１３をそのリブ状物２６ａの周囲に維持させるためのものであり、リブ状物２６ａの周囲に巻回された昇降コード１３より大きな外形となるように形成される。リブ状物２６ａの外形を越えた大径部２６ｂに対向する基台２３には、リブ状物２６ａの上縁及び下縁に連続するようにその上下に凸条２８がその大径部２６ｂに対向してそれぞれ形成される。凸条２８とこの凸条２８に対向する大径部２６ｂとの間の隙間は昇降コード１３の外径より小さく形成され、リブ状物２６ａの周囲に昇降コード１３を巻回させると、その昇降コード１３はリブ状物２６ａの上下に形成された凸条２８と大径部２６ｂとの間の隙間に圧入され、リブ状物２６ａの周囲に巻回された昇降コード１３をこの取付部２６に取付けることができるように構成される。
【００１９】
図１及び図２に示すように、挿通部２４と取付部２６の間の基台２３には係止片２９が立設される。挿通部２４と取付部２６と係止片２９は上下方向に並んでそれぞれが一体的に形成され、係止片２９は挿通部２４と取付部２６との間にあって、その間を横断するように横方向に伸びて形成される。図４に詳しく示すように、この係止片２９には、挿通部２４に挿通された昇降コード１３を圧入することによりその昇降コード１３をその係止片２９に係止可能に構成された凹溝３１が形成される。この実施の形態における凹溝３１は、図１に示すように挿通部２４に挿通された昇降コード１３を横方向に導いて圧入するように係止片２９の両側にそれぞれ形成され、凹溝３１に圧入された後に垂下する昇降コード１３がリブ状物２６ａの側壁に添うように形成される。
【００２０】
このように構成されたローマンシェード用コード係止部材２１では、挿通部２４に挿通された昇降コード１３を横方向に導いて、係止片２９に形成された凹溝３１に圧入することにより、その昇降コード１３をこの係止部材２１に仮に固定することができる。このため、例えばスクリーン１１の下部にコードリング１７を取付け、このコードリング１７にコード用係止部材２１を係止させるような場合であって、そのコードリング１７をスクリーン１１に取付ける際のばらつきにより複数の昇降コード１３の下端における取付位置が上下にばらついたとしても、凹溝３１に圧入された昇降コード１３を凹溝３１に圧入させた状態で上下方向に移動させることにより、このように生じたばらつきを解消することができる。このため、弛んだ昇降コード１３の下端に取付けた係止部材２１の位置を変更することが比較的容易であり、その位置を上下に移動させることにより昇降コード１３に生じた弛みを比較的容易に解消させることができる。
【００２１】
特にこの実施の形態では、挿通部２４に一端が開口するスリット２７ａを上板２７に形成したので、昇降コード１３の太さのばらつきにより係止片２９に形成された凹溝３１に圧入しても昇降コード１３を仮止めする力が不足するような場合には、スリット２７ａの幅を昇降コード１３の外径より小さく形成してそのスリット２７ａにも昇降コード１３を圧入させることにより、その昇降コード１３を係止部材２１に確実に仮止め固定することができる。よって、スリット２７ａを形成することにより外径の異なる複数種類の昇降コード１３に対して単一の係止部材２１を取付けることが可能となる。そして、そのように位置を調整した後に昇降コード１３の下端を取付部２６に取付けることにより、スクリーン１１の下端に取付けたローマンシェード用コード係止部材２１の位置を微調整した状態で昇降コード１３に取付けることができ、昇降コード１３が３本以上の複数である場合であっても、その全体によりスクリーン１１を均等に支持することが可能となる。
【００２２】
また、この実施の形態における凹溝３１は、その凹溝３１に圧入された後に垂下する昇降コード１３がリブ状物２６ａの側壁に添うように係止片２９の両側にそれぞれ形成したので、位置の調整が行われた状態における昇降コード１３の下端は取付部２６を構成するリブ状物２６ａの側壁に添う。このため、図１の一点鎖線で示すようにそのリブ状物２６ａの側壁に添う昇降コード１３の下端を摘んで、その下端を実線矢印で示すように引き回すことにより昇降コード１３をリブ状物２６ａの周囲に巻回させることができる。そして、リブ状物２６ａの周囲に巻回された昇降コード１３を基台２３に形成された凸条２８とこの凸条２８に対向する大径部２６ｂとの間の隙間に圧入することにより、昇降コード１３の下端に弛みを持たせることなくその位置が調整された状態でこの取付部２６に比較的容易に取付けることができる。
【００２３】
なお、凸条２８は挿通部２４の下方に位置するため、係止片２９を形成しない場合には挿通部２４に挿通された昇降コード１３は凸条２８に重なるように垂下されることになる。このように垂下された昇降コード１３をリブ状物２６ａに巻回させると、挿通部２４に挿通された昇降コード１３が基台２３に形成された凸条２８とこの凸条２８に対向する大径部２６ｂとの間の隙間に最初に圧入され、その後そのリブ状物２６ａに巻回された昇降コード１３が凸条２８とこの凸条２８に対向する大径部２６ｂとの間の隙間に再び圧入されて、その昇降コード１３が重なった状態で圧入される事態を生じ得る。このように凸条２８とこの凸条２８に対向する大径部２６ｂとの間に昇降コード１３が重なった状態で圧入されると、樹脂成型品からなる大径部２６ｂやリブ状物２６ａが破損するような不具合もある。
【００２４】
これに対して、この実施の形態では、基台２３に係止片２９を形成し、圧入された後に垂下する昇降コード１３がリブ状物２６ａの側壁に添うように係止片２９の両側に凹溝３１を形成したので、リブ状物２６ａの側壁に添う昇降コード１３の下端を摘んでリブ状物２６ａに巻回させても、その巻回させる以前に挿通部２４に挿通された昇降コード１３が基台２３に形成された凸条２８とこの凸条２８に対向する大径部２６ｂとの間の隙間に最初に圧入されることはない。このため、昇降コード１３を基台２３に形成された凸条２８とこの凸条２８に対向する大径部２６ｂとの間の隙間に昇降コード１３が重なった状態で圧入されることはなく、昇降コード１３を取付けることに起因して、樹脂成型品からなる大径部２６ｂやリブ状物２６ａが破損するような事態を有効に回避することができる。
【００２５】
そして、本発明の係止部材を介して昇降コード１３の下端をそのスクリーン１１に下部に取付けたローマンシェード１０において、そのスクリーン１１を昇降させるには操作つまみ１９を操作することにより行うことができる。例えば、図８に示すようにスクリーン１１を上昇させる場合には、操作つまみ１９を下方に引張ることにより、この操作つまみ１９が設けられた側の昇降コード１３が引き下ろされるとともに、スクリーン１１に連結された側の昇降コード１３が上昇して第１ウエイトバー１８が上昇する。このときスクリーン１１は互いに隣接する横桿１６の間でひだを形成しながら、たくし上げられる。操作つまみ１９を下方に引張る力を緩めると、図示しないストッパが昇降コード１３の上昇を禁止し、スクリーン１１がたくし上げられた状態に保持される。一方、スクリーン１１を下降させる場合には、操作つまみ１９を少し下方に引張って、操作つまみ１９が設けられた側の昇降コード１３の上昇を許容した後、操作つまみ１３を徐々に上げる。これによりスクリーン１１に連結された側の昇降コード１３が第１ウエイトバー１８及びスクリーン１１はそれらの自重により下降し、図７に示すように下降したスクリーン１１により家屋の図示しない開口部を覆うことができる。
【００２６】
なお、上述した実施の形態では、昇降コード１３をヘッドレールの内部でその長手方向に案内し、ヘッドレールの端部から下方に垂下するローマンシェードに本発明のコード係止部材２１を用いた場合を説明したが、ヘッドレール１２の内部に昇降コード１３を繰出し可能に巻取る図示しない複数のドラムを設け、これらのドラムを回転させることにより昇降コード１３を上下動させるように構成されたローマンシェードに本発明のコード係止部材２１を用いてもよい。
また、上述した実施の形態では、スクリーン１１に複数の横桿１６を設けた場合を説明したが、横桿１６は設けなくても良い。この場合には昇降コード１３を上昇させると、スクリーン１１は昇降コード１３と昇降コード１３の間で垂れ下がるような円弧を描いて上昇することになる。
【００２７】
更に、上述した実施の形態では、上板２７と基台２３の接合部分に形成された孔からなる挿通部２４を説明したが、図９及び図１０に示すように、挿通部は上板２７に形成されたスリット３４，４４であっても良い。図９に示す挿通部は、基台２３の上端に直角に折曲がるように形成された上板２７の突出端から基台２３側に向かってその中央にまでに形成されたスリット３４であって、スリット３４の先端である上板２７の中央にはスリット３４の幅より大きな直径を有する円孔３４ａが形成される。スリット３４の幅は昇降コード１３の外径より小さな幅を有し、円孔３４ａの直径は昇降コード１３の外径と略等しく形成される。そして、このスリット３４からなる挿通部に昇降コード１３を圧入して円孔３４ａに案内すると、その昇降コード１３はその円孔３４ａに維持されるように構成される。
【００２８】
一方、図１０に示す挿通部は、基台２３の上端に直角に折曲がるように形成された上板２７の側縁から上板２７の中央にまでに形成されたスリット４４であって、このスリット４４はその幅が広い部分とその幅が狭い部分が交互に形成される。そしてスリット４４の先端である上板２７の中央にはスリット４４の幅が広い部分が形成される。そしてスリット４４の幅の狭い部分は昇降コード１３の外径より小さく形成され、スリット４４の幅の広い部分は昇降コード１３の外径と略等しく形成される。そして、このスリット４４からなる挿通部に昇降コード１３を圧入すると、その昇降コード１３はスリット４４の幅の狭い部分に挟まれてそのスリット４４の幅の広い部分に維持されるように構成される。
【図面の簡単な説明】
【００２９】
【図１】本発明実施形態のコード係止部材の正面図である。
【図２】そのコード係止部材の側面図である。
【図３】図１のＡ−Ａ線断面図である。
【図４】図１のＢ−Ｂ線断面図である。
【図５】図１のＣ−Ｃ線断面図である。
【図６】そのコード係止部材を示す図７のＤ部拡大斜視図である。
【図７】そのコード係止部材が用いられたローマンシェードの斜視図である。
【図８】そのローマンシェードにおけるスクリーンがたくし上げられた状態を示す斜視図である。
【図９】別の挿通部を示す図３に対応する図である。
【図１０】更に別の挿通部を示す図３に対応する図である。
【符号の説明】
【００３０】
１１  スクリーン
１２  ヘッドレール
１３  昇降コード
２２  係止部
２３  基台
２４  挿通部
２６  取付部
２６ａ  リブ状物
２６ｂ  大径部
２９  係止片
３１  凹溝
【図１】
2008121359.tif 000003
【図２】
2008121359.tif 000004
【図３】
2008121359.tif 000005
【図４】
2008121359.tif 000006
【図５】
2008121359.tif 000007
【図６】
2008121359.tif 000008
【図７】
2008121359.tif 000009
【図８】
2008121359.tif 000010
【図９】
2008121359.tif 000011
【図１０】
2008121359.tif 000012